(57)【要約】      （修正有）【課題】簡単な構成で、便座が不用意に外れることがなく、必要な際には、容易に取り外すことの可能な便器装置を提供することを目的とする。【解決手段】便器に固定される固定部材２ａと、固定部材に対向して形成される一対の軸支持体９ｂと、軸支持体に便座軸１１ｂを回動自在に軸支される便座とを備え、軸支持体は、便座軸の取り外しを可能とする切欠き部１０ｂを有し、便座軸の軸支持体からの取り外しを阻止する阻止手段１２ａを固定部材に固定する便器装置。【選択図】図６
2020044211.tif 000002
【特許請求の範囲】
【請求項１】
便器に固定される固定部材と、前記固定部材に対向して形成される一対の軸支持体と、前記軸支持体に便座軸を回動自在に軸支される便座とを備え、前記軸支持体は、前記便座軸の取り外しを可能とする切欠き部を有し、前記便座軸の前記軸支持体からの取り外しを阻止する阻止手段を前記固定部材に固定する便器装置。
【請求項２】
前記固定部材を覆うカバー体を備え、前記カバー体により前記便座軸の前記軸支持体からの取り外しを阻止する請求項１に記載の便器装置。
【請求項３】
前記便座軸の変移により着座を検出する着座検出手段を前記固定部材に固定し、前記着座検出手段により前記便座軸の前記軸支持体からの取り外しを阻止する請求項１または２に記載の便器装置。
【請求項４】
前記便座を開閉駆動させる駆動装置を一方の軸支持体の近傍に前記固定手段に取り付け、前記切欠き部は他方の軸支持体に設ける請求項１〜３のいずれか１項に記載の便器装置。
【請求項５】
便器に固定される固定部材と、前記固定部材に対向して形成される一対の軸支持体と、前記軸支持体に便座軸を回動自在に軸支される便座とを備え、前記便座軸は、前記便座と一体的に形成される基部と、前記基部に着脱自在に固定されて前記基部との間に前記軸支持体を挟持する補助部材とから構成する便器装置。
【請求項６】
前記固定部材を覆うカバー体を備え、前記カバー体により前記便座軸を覆う請求項５に記載の便器装置。
【発明の詳細な説明】
【技術分野】
【０００１】
本発明は、便器装置に関し、詳しくは便座の取付構造に関する。
【背景技術】
【０００２】
従来から、便器装置には、便器本体のボウル部の後方上面に便蓋及び便座を開閉自在に取付ける支持体を設ける。便蓋や便座は、便器装置の掃除やメンテなどを行い易くするために支持体に着脱自在にされる。
【０００３】
この支持体に取り付けた便蓋及び便座を開閉駆動させる駆動装置を設けたことで、便蓋及び便座の開閉を自動的に行わせたものがある。たとえば、便蓋は便器装置に設けた人体検出センサにより、また便座は便器装置に設けた操作部により、それぞれ制御部を介して開閉制御されている。
【０００４】
具体的に、便蓋及び便座の支持体への取付構造は、支持体に設けた突起状の便蓋取付部及び便座取付部に対して便蓋及び便座の各受部を枢支連結させることで行われる。各取付部の周面の一部を切除して非円形に形成すると共に、便蓋及び便座の各受部の周方向の一部に切欠部を設けてあり、通常状態では各取付部が対応する各受部に嵌合すると共に、便蓋及び便座が所定の回動位置に位置した場合にのみ各取付部が切欠部に通過することで、便蓋及び便座の支持体への脱着を可能にしている。
【０００５】
支持体に便蓋および便座が装着されていない状態で便蓋および便座が回動駆動するのを阻止するために、支持体に便蓋及び便座の取付の有無を検知する取付検知センサを設けると共に、上記取付検知センサにて便蓋及び便座が支持体から外れた状態にあることを検知した場合に駆動装置の駆動をオフにするオフ制御部を設けている（たとえば、特許文献１参照）。
【先行技術文献】
【特許文献】
【０００６】
【特許文献１】特開２００６−１２２１４８号公報
【発明の概要】
【発明が解決しようとする課題】
【０００７】
しかしながら、前記従来の洗濯機では、便蓋および便座を回動駆動する駆動装置を備えていない機種には対応できない課題があった。また、便蓋および便座が所定の位置に回動した場合に脱着が可能であるため、誤って便蓋および便座を取り外す虞があった。
【０００８】
本発明は、前記従来の課題を解決するもので、簡単な構成で、便座が不用意に外れることがなく、必要な際には、容易に取り外すことの可能な便器装置を提供することを目的とする。
【課題を解決するための手段】
【０００９】
上記課題を解決するために、本発明の便器装置は、便器に固定される固定部材と、前記固定部材に対向して形成される一対の軸支持体と、前記軸支持体に便座軸を回動自在に軸支される便座とを備え、前記軸支持体は、前記便座軸の取り外しを可能とする切欠き部を有し、前記便座軸の前記軸支持体からの取り外しを阻止する阻止手段を前記固定部材に固定するものである。
【発明の効果】
【００１０】
本発明の便器装置は、簡単な構成で、便座が不用意に外れることがなく、必要な際には、容易に取り外すことの可能な便器装置を提供することができる。
【図面の簡単な説明】
【００１１】
【図１】本発明の実施の形態１における便器装置の便座および便蓋を挙げた状態の正面図
【図２】同便器装置の本体前部を取り外した状態の正面図
【図３】同便座装置の本体前部を取り外した状態の要部拡大正面図
【図４】同便座装置の本体前部を取り外した状態の要部拡大正面図
【図５】同便器装置の要部断面図
【図６】同便器装置の着座検出装置を取り外した状態の斜視図
【図７】同便器装置の着座検出装置を取り外した状態の斜視図
【図８】同便器装置の要部断面図
【発明を実施するための形態】
【００１２】
第１の発明は、便器に固定される固定部材と、前記固定部材に対向して形成される一対の軸支持体と、前記軸支持体に便座軸を回動自在に軸支される便座とを備え、前記軸支持体は、前記便座軸の取り外しを可能とする切欠き部を有し、前記便座軸の前記軸支持体からの取り外しを阻止する阻止手段を前記固定部材に固定するものである。
【００１３】
第２の発明は、特に、第１の発明の前記固定部材を覆うカバー体を備え、前記カバー体により前記便座軸の前記軸支持体からの取り外しを阻止するものである。
【００１４】
第３の発明は、特に、第１または第２の発明の前記便座軸の変移により着座を検出する着座検出手段を前記固定部材に固定し、前記着座検出手段により前記便座軸の前記軸支持体からの取り外しを阻止するものである。
【００１５】
第４の発明は、特に、第１〜３の発明の前記便座を開閉駆動させる駆動装置を一方の軸支持体の近傍に前記固定手段に取り付け、前記切欠き部は他方の軸支持体に設けるものである。
【００１６】
第５の発明は、便器に固定される固定部材と、前記固定部材に対向して形成される一対の軸支持体と、前記軸支持体に便座軸を回動自在に軸支される便座とを備え、前記便座軸は、前記便座と一体的に形成される基部と、前記基部に着脱自在に固定されて前記基部との間に前記軸支持体を挟持する補助部材とから構成するものである。
【００１７】
第６の発明は、特に、第５の発明の前記固定部材を覆うカバー体を備え、前記カバー体により前記便座軸を覆うものである。
【００１８】
以下、適宜図面を参照しながら、実施の形態を詳細に説明する。
【００１９】
なお、添付図面および以下の説明は、当業者が本開示を十分理解するために、提供されるのであって、これらにより、特許請求の範囲に記載の主題を限定することは意図されていない。
【００２０】
（実施の形態１）
以下、図１〜図８を用いて、実施の形態１を説明する。
【００２１】
図１は、本発明の形態１における便蓋および便座を上げた状態の便器装置の正面図、図
２は、本体前部を取り外した状態の正面図である。
【００２２】
図１において、本発明にかかる便器装置は、便器１に固定される本体２と、本体２に回動自在に支持される便座３および便蓋４から構成される。なお、便蓋４は、必要に応じて省略することも可能である。
【００２３】
本体２は、便器１に固定される固定部材を構成する本体後部２ａと、本体後部２ａにネジにより着脱可能に装着されてカバー体を構成する本体前部２ｂとから構成される。本体後部２ａは、本体２の底面、背面、両側面の一部、天面の一部を構成し、前面側を開口している。本体後部２ａの内部には、洗浄ノズル５、洗浄ノズル５に給水するポンプ６、駆動装置７、制御装置８等の電装部品が配設される。
【００２４】
本体前部２ｂは、本体後部２ａの前面側に装着され、本体２の前面、両側面の一部、天面の一部を構成する。本体前部２ｂは、本体後部２ａにねじ固定されて一体化され、本体後部２ａと本体前部２ｂとにより本体２の外郭を構成する。
【００２５】
図３は、本体前部を取り外した状態の要部拡大正面図、図４は、本体前部を取り外した状態の要部拡大正面図、図５は、要部断面図、図６は、要部斜視図、図７は、要部拡大断面図、図８は、要部拡大断面図である。
【００２６】
図２〜図４に示すように、本体後部２ａの内部には、電装部品の外側に一対の軸支持体９ａ、９ｂが一体に形成される。一方の軸支持体９ａ（図２中右側）には、円形の軸支孔（図示せず）が形成される。他方の軸支持体９ｂ（図２中左側）には、円形の軸支孔１０ａが形成され、軸支孔１０ａに連通する切欠き部１０ｂが斜め前方上向きに向かって形成されている。
【００２７】
便座３の左右には、便座軸１１ａ、１１ｂが設けられ、一方の便座軸１１ａ（図２中右側）は、便座３と一体に形成される。他方の便座軸１１ｂ（図２中左側）は、中空形状に形成され便座３に固定される。
【００２８】
一方の便座軸１１ａは、一方の軸支持体９ａの軸支孔に挿入支持される。一方の便座軸１１ａ側には、駆動装置７が配置され、駆動装置７が便座軸１１ａを回転させて便座３を開閉駆動するとともに、便蓋４を同様に開閉駆動する。
【００２９】
他方の便座軸１１ｂは、便座軸１１ａを軸支持体９ａの軸支孔に挿入支持した状態で、他方の軸支持体９ｂの切欠き部１０ｂから軸支孔１０ａに向かって下方に挿入する。切欠き部１０ｂの幅は、便座軸１１ｂの径とほぼ同寸法に形成されており、便座軸１１ｂは、圧入気味に切欠き部１０ｂから軸支孔１０ａに挿入される。便座軸１１ｂを軸支孔１０ａに挿入した状態では、便座３は、はねあげられた状態で支持される。通常、便座３には、はねあげた状態で上方に持ち上げられる力が作用することはなく、便座３は、取り外そうとする場合のみになると想定される。また、便座軸１１ｂは、切欠き部１０ｂから軸支孔１０ａに圧入気味に挿入されるので、便座３に取り外す方向に力が加わっても容易に外れることがない。
【００３０】
本体後部２ａには、他方の軸支持体９ｂ近傍に着座検出装置１２がネジ固定される。着座検出装置１２は、他方の便座軸１１ｂの変位を検出して便座３への着座の有無を検出し、制御装置８に出力する。
【００３１】
他方の便座軸１１ｂには、着座検出装置１２が便座軸１１ｂの変位を検出する位置に、略９０°の円弧状に形成した検出部１１ｃを設けており、便座３を上げた状態では、検出
部１１ｃが上方に位置し、着座検出装置１２が検出部１１ｃの変位を検出せず、着座の誤検知をしないように構成している。
【００３２】
着座検出装置１２には、阻止手段となる阻止部１２ａが延設され、阻止部１２ａは、後方上部を略９０°の範囲で切り欠いた切欠部１２ｂを有する円筒状に形成される。
【００３３】
着座検出装置１２は、切欠部１２ｂから検出部１１ｃを挿入して便座軸１１ｂに装着され、本体後部２ａにネジ固定される。
【００３４】
便座３は、便座本体（図示せず）と便座底板（図示せず）とで構成され、便座本体の便蓋４側内面に便座加熱手段としてヒーター（図示せず）が貼り付けられる。
【００３５】
他方の便座軸１１ｂ（図２中左側）には、その中空部分にヒーターに接続された電線１３を通している。
【００３６】
便座軸１１ｂを通して便座３の外部に伸びた電線１３は、着座検出装置１２に仮固定され、制御装置８にコネクター（図示せず）を介して接続される。コネクターを外すことにより、便座３は、着座検出装置１２とともに本体後部２ａから取り外される。
【００３７】
本体前部２ｂには、便座３の便座軸１１ｂを押さえる押さえ部２ｃが形成される。押さえ部２ｃは、便座軸１１ｂが切欠き部１０ｂから浮き上がるのを阻止する阻止手段として機能する。
【００３８】
以上のように構成された便器装置について、以下その動作、作用を説明する。
【００３９】
内部の電装装置等をメンテナンスする際には、本体前部２ｂを取り外す。本体前部２ｂを取り外した状態では、本体後部２ａの前面側が大きく開放されるので、メンテナンス時の作業性を向上することができる。
【００４０】
さらにメンテナンス性を向上するために、便座３を取り外す際には、着座検出装置１２を取り外すと、便座軸１１ｂが開放される。便座３をあげた状態で便座軸１１ｂを上方にひき上げると、便座軸１１ｂが軸支持体９ｂから外される。
【００４１】
この状態で、便座軸１１ａを斜め方向に移動させると、便座軸１１ａを軸支持体９ａの軸支孔から抜くことができる。
【００４２】
便座軸１１ｂは、本体前部２ｂの押さえ部２ｃにより切欠き部１０ｂから浮き上がって本体後部２ａから外れるのを防止している。本体２の構成部品である本体前部２ｂにより便座３が外れるのを防止しているので、メンテナンス後に本体前部２ｂを付け忘れることがなく、便座３が外れるのを防止することができる。
【００４３】
便座軸１１ｂは、便座軸１１ｂの変位を検出する着座検出装置１２により本体後部２ａから外れるのを防止している。着座検出装置１２は、着座検出の機能を構成し、電線１３を配線処理する機能を有する構成部品であり、メンテナンス後に着座検出装置１２を付け忘れることがなく、便座３が外れるのを防止することができる。
【００４４】
本実施の形態では、便座３から便座軸１１ａ、１１ｂを形成したが、軸支持体９ａ、９ｂから軸を形成し、便座３に軸受け部を形成して軸を支持する構成としてもよい。この構成とする場合には、便座３の軸受け部を複数の部品により構成し、部品を組み合わせることにより軸の抜け止めをする構成とすることができる。
【産業上の利用可能性】
【００４５】
以上のように、本発明にかかる便器装置は、簡単な構成で、便座を不用意に取り外すことなく、必要な際には、容易に取り外すことの可能な便器装置を提供することができるので、洗浄機能を有さない便器装置に採用することができる。
【符号の説明】
【００４６】
１  便器
２  本体
２ａ  本体後部
２ｂ  本体前部
２ｃ  押さえ部
３  便座
４  便蓋
５  洗浄ノズル
６  ポンプ
７  駆動装置
８  制御装置
９ａ  軸支持体
９ｂ  軸支持体
１０ａ  軸支孔
１０ｂ  切欠き部
１１ａ  便座軸
１１ｂ  便座軸
１１ｃ  検出部
１２  着座検出装置
１２ａ  阻止部
１２ｂ  切欠部
【図１】
2020044211.tif 000003
【図２】
2020044211.tif 000004
【図３】
2020044211.tif 000005
【図４】
2020044211.tif 000006
【図５】
2020044211.tif 000007
【図６】
2020044211.tif 000008
【図７】
2020044211.tif 000009
【図８】
2020044211.tif 000010